(57)【要約】【課題】ユーザに煩雑な作業を強いることなく、所望の形状を有するケーブル用ラベルを作製可能とする。【解決手段】文字列記憶部６３１にはケーブル用ラベルに印刷されるべき文字列が記憶される。印刷イメージ生成部６１３は、文字列記憶部６３１に記憶された文字列の印刷イメージを生成する。ケーブル情報記憶部６４１には、複数のケーブルについて、その名称と、外径値とが対応付けて記憶される。ラベル長決定部６１２は、選択されたケーブルの外径値に基づいて、ケーブル用ラベルの長さを決定する。印刷イメージ配置部６１５は、印刷イメージ生成部６１３が生成した印刷イメージを、ラベル長決定部６１２が決定した長さ内に配置する【選択図】        図６
2004299177.tif 000002
【特許請求の範囲】
【請求項１】
ケーブル状部材に巻き付けられるケーブル用ラベルに印刷されるべき文字列を記憶するための文字列記憶手段と、
前記文字列記憶手段に記憶された文字列の印刷イメージを生成するための印刷イメージ生成手段と、
複数のケーブル状部材について、識別情報と、各ケーブル状部材に巻き付けられるケーブル用ラベルの全体又はその一部の形状に関する情報である形状情報とを対応づけて記憶するためのケーブル情報記憶手段と、
前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段とを備えていることを特徴とする印刷制御装置。
【請求項２】
ケーブル状部材に巻き付けられるケーブル用ラベルに印刷されるべき文字列を記憶するための文字列記憶手段と、
前記文字列記憶手段に記憶された文字列の印刷イメージを生成するための印刷イメージ生成手段と、
複数のケーブル状部材について、識別情報と、各ケーブル状部材に係る寸法とを対応づけて記憶するためのケーブル情報記憶手段と、
前記ケーブル情報記憶手段に記憶された複数のケーブル状部材の識別情報のいずれかに対応したケーブル状部材がユーザによって選択されたときに、前記ケーブル情報記憶手段に記憶された、当該選択されたケーブル状部材に係る寸法に基づいて、ケーブル用ラベルの全体又はその一部の形状を決定するラベル形状決定手段と、
前記印刷イメージ生成手段が生成した印刷イメージを、前記ラベル形状決定手段が決定したケーブル用ラベルの前記全体又はその一部の形状に対応した範囲内及びこの範囲に隣接した範囲内の少なくともいずれか一方に配置するための印刷イメージ配置手段とを備えていることを特徴とする印刷制御装置。
【請求項３】
ケーブル用ラベルの前記全体又はその一部の形状に対応した範囲に隣接した範囲の形状を決定する隣接範囲形状決定手段をさらに備えていることを特徴とする請求項２に記載の印刷制御装置。
【請求項４】
前記隣接範囲形状決定手段は、前記隣接した範囲の形状をケーブル状部材の寸法に応じて変化させることを特徴とする請求項３に記載の印刷制御装置。
【請求項５】
ケーブル状部材に係る寸法がケーブル状部材の外径値であることを特徴とする請求項２〜４のいずれか１項に記載の印刷制御装置。
【請求項６】
前記ケーブル情報記憶手段の記憶内容は、ユーザの操作に基づいて書換可能であることを特徴とする請求項１〜５のいずれか１項に記載の印刷制御装置。
【請求項７】
前記ケーブル情報記憶手段に記憶されたケーブル状部材の識別情報をディスプレイに表示させるための制御を行う識別情報表示制御手段をさらに備えていることを特徴とする請求項１〜６のいずれか１項に記載の印刷制御装置。
【請求項８】
前記識別情報表示制御手段は、ユーザによるケーブル状部材の選択頻度又は選択順序に応じて、ディスプレイにおけるケーブル状部材の識別情報の表示順序を変更することを特徴とする請求項７に記載の印刷制御装置。
【請求項９】
ケーブル用ラベルの前記全体又はその一部の形状を微調整する微調整手段をさらに備えていることを特徴とする請求項１〜８のいずれか１項に記載の印刷制御装置。
【請求項１０】
前記微調整手段は、個々のケーブル状部材についてケーブル用ラベルの前記全体又はその一部の形状を独立に微調整可能であることを特徴とする請求項９に記載の印刷制御装置。
【請求項１１】
前記微調整手段は、複数のケーブル状部材についてケーブル用ラベルの前記全体又はその一部の形状を一括して微調整可能であることを特徴とする請求項９に記載の印刷制御装置。
【請求項１２】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように配置することを特徴とする請求項１〜１１のいずれか１項に記載の印刷制御装置。
【請求項１３】
前記印刷イメージ配置手段は、ケーブル用ラベルの前記全体又はその一部の形状に対応した範囲内及びこの範囲に隣接した範囲内の少なくともいずれか一方に含まれる印刷範囲のほぼ中央に、前記印刷イメージ生成手段が生成した印刷イメージを、ケーブル用ラベルの幅方向に沿うように配置することを特徴とする請求項１〜１１のいずれか１項に記載の印刷制御装置。
【請求項１４】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した複数個の印刷イメージを、ケーブル用ラベルの幅方向に沿うように均等間隔で配置することを特徴とする請求項１〜１１のいずれか１項に記載の印刷制御装置。
【請求項１５】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする請求項１〜１１のいずれか１項に記載の印刷制御装置。
【請求項１６】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージの配置方向が交互に１８０°異なるものとなるようにすることを特徴とする請求項１〜１１のいずれか１項に記載の印刷制御装置。
【請求項１７】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージのうち最も外側に配置される２つの印刷イメージの配置方向が互いに１８０°異なるものとなるようにすることを特徴とする請求項１〜１１のいずれか１項に記載の印刷制御装置。
【請求項１８】
ケーブル用ラベルの前記全体又はその一部の形状に対応した範囲内及びこの範囲に隣接した範囲内の少なくともいずれか一方に配置される印刷イメージのサイズを、前記ケーブル情報記憶手段に記憶された、ユーザによって選択されたケーブル状部材に係る寸法に応じて決定するための文字サイズ決定手段をさらに備えていることを特徴とする請求項１〜１７のいずれか１項に記載の印刷制御装置。
【請求項１９】
前記ケーブル情報記憶手段が不揮発性記憶装置を含んでいることを特徴とする請求項１〜１８のいずれか１項に記載の印刷制御装置。
【請求項２０】
ケーブル状部材に巻き付けられるケーブル用ラベルに印刷されるべき文字列を記憶するための文字列記憶手段、
前記文字列記憶手段に記憶された文字列の印刷イメージを生成するための印刷イメージ生成手段、
複数のケーブル状部材について、識別情報と、各ケーブル状部材に巻き付けられるケーブル用ラベルの全体又はその一部の形状に関する情報である形状情報とを対応づけて記憶するためのケーブル情報記憶手段、及び、
前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段としてコンピュータを機能させることを特徴とする印刷制御プログラム。
【請求項２１】
ケーブル状部材に巻き付けられるケーブル用ラベルに印刷されるべき文字列を記憶するための文字列記憶手段、
前記文字列記憶手段に記憶された文字列の印刷イメージを生成するための印刷イメージ生成手段、
複数のケーブル状部材について、識別情報と、各ケーブル状部材に係る寸法とを対応づけて記憶するためのケーブル情報記憶手段、
前記ケーブル情報記憶手段に記憶された複数のケーブル状部材の識別情報のいずれかに対応したケーブル状部材がユーザによって選択されたときに、前記ケーブル情報記憶手段に記憶された、当該選択されたケーブル状部材に係る寸法に基づいて、ケーブル用ラベルの全体又はその一部の形状を決定するラベル形状決定手段、及び、
前記印刷イメージ生成手段が生成した印刷イメージを、前記ラベル形状決定手段が決定したケーブル用ラベルの前記全体又はその一部の形状に対応した範囲内及びこの範囲に隣接した範囲内の少なくともいずれか一方に配置するための印刷イメージ配置手段としてコンピュータを機能させることを特徴とする印刷制御プログラム。
【請求項２２】
ケーブル用ラベルの前記全体又はその一部の形状に対応した範囲に隣接した範囲の形状を決定する隣接範囲形状決定手段としてコンピュータをさらに機能させることを特徴とする請求項２１に記載の印刷制御プログラム。
【請求項２３】
前記隣接範囲形状決定手段は、前記隣接した範囲の形状をケーブル状部材の寸法に応じて変化させることを特徴とする請求項２２に記載の印刷制御プログラム。
【請求項２４】
ケーブル状部材に係る寸法がケーブル状部材の外径値であることを特徴とする請求項２１〜２３のいずれか１項に記載の印刷制御プログラム。
【請求項２５】
前記ケーブル情報記憶手段の記憶内容は、ユーザの操作に基づいて書換可能であることを特徴とする請求項２０〜２４のいずれか１項に記載の印刷制御プログラム。
【請求項２６】
前記ケーブル情報記憶手段に記憶されたケーブル状部材の識別情報をディスプレイに表示させるための制御を行う識別情報表示制御手段をさらに備えていることを特徴とする請求項２０〜２５のいずれか１項に記載の印刷制御プログラム。
【請求項２７】
前記識別情報表示制御手段は、ユーザによるケーブル状部材の選択頻度又は選択順序に応じて、ディスプレイにおけるケーブル状部材の識別情報の表示順序を変更することを特徴とする請求項２６に記載の印刷制御プログラム。
【請求項２８】
ケーブル用ラベルの前記全体又はその一部の形状を微調整する微調整手段をさらに備えていることを特徴とする請求項２０〜２７のいずれか１項に記載の印刷制御プログラム。
【請求項２９】
前記微調整手段は、個々のケーブル状部材についてケーブル用ラベルの前記全体又はその一部の形状を独立に微調整可能であることを特徴とする請求項２８に記載の印刷制御プログラム。
【請求項３０】
前記微調整手段は、複数のケーブル状部材についてケーブル用ラベルの前記全体又はその一部の形状を一括して微調整可能であることを特徴とする請求項２８に記載の印刷制御プログラム。
【請求項３１】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように配置することを特徴とする請求項２０〜３０のいずれか１項に記載の印刷制御プログラム。
【請求項３２】
前記印刷イメージ配置手段は、ケーブル用ラベルの前記全体又はその一部の形状に対応した範囲内及びこの範囲に隣接した範囲内の少なくともいずれか一方に含まれる印刷範囲のほぼ中央に、前記印刷イメージ生成手段が生成した印刷イメージを、ケーブル用ラベルの幅方向に沿うように配置することを特徴とする請求項２０〜３０のいずれか１項に記載の印刷制御プログラム。
【請求項３３】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した複数個の印刷イメージを、ケーブル用ラベルの幅方向に沿うように均等間隔で配置することを特徴とする請求項２０〜３０のいずれか１項に記載の印刷制御プログラム。
【請求項３４】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする請求項２０〜３０のいずれか１項に記載の印刷制御プログラム。
【請求項３５】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージの配置方向が交互に１８０°異なるものとなるようにすることを特徴とする請求項２０〜３０のいずれか１項に記載の印刷制御プログラム。
【請求項３６】
前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージのうち最も外側に配置される２つの印刷イメージの配置方向が互いに１８０°異なるものとなるようにすることを特徴とする請求項２０〜３０のいずれか１項に記載の印刷制御プログラム。
【請求項３７】
ケーブル用ラベルの前記全体又はその一部の形状に対応した範囲内及びこの範囲に隣接した範囲内の少なくともいずれか一方に配置される印刷イメージのサイズを、前記ケーブル情報記憶手段に記憶された、ユーザによって選択されたケーブル状部材に係る寸法に応じて決定するための文字サイズ決定手段としてコンピュータをさらに機能させることを特徴とする請求項２０〜３６のいずれか１項に記載の印刷制御プログラム。
【発明の詳細な説明】
【０００１】
【発明の属する技術分野】
本発明は、ケーブル状部材に巻き付けられるケーブル用ラベルに文字列を印刷する際に用いられる印刷制御装置及び印刷制御プログラムに関する。
【０００２】
【従来の技術】
裏面に粘着材が予め塗布された粘着性の被印刷シートと剥離紙とを互いに剥離可能に重ね合わせた印刷テープに文字列を印刷可能なテーププリンタが知られている。このテーププリンタによって印刷されたテープをケーブル用ラベルとしてその両端部同士が互いに貼り合わされるようにケーブルに巻き付けることによって、ケーブル用ラベルに印刷された文字列によって作業者にケーブルを確実に認識させることができ、配線ミスの防止などが可能となる（特許文献１）。
【０００３】
【特許文献１】
特開平６−３２０８２６号公報（第５−１０頁、図１４）
【０００４】
【発明が解決しようとする課題】
特許文献１においてケーブルの外径に応じた長さのケーブル用ラベルを得ようとする場合には、予めテーププリンタのユーザがケーブルの外径に基づいてケーブル外周長を計算により求め、その計算結果をテーププリンタに入力する必要がある。しかしながら、ケーブル外周長を計算することは、ユーザにとって煩雑であり、また、ユーザが計算ミスをした場合には、ケーブルに巻き付けられる部分が所望の長さよりも短い又は長いなどの使用に適さない形状を有するケーブル用ラベルが作製され、そのラベルが無駄になってしまう。
【０００５】
そこで、本発明の目的は、ユーザに煩雑な作業を強いることなく、所望の形状を有するケーブル用ラベルを作製することができる印刷制御装置及び印刷制御プログラムを提供することである。
【０００６】
【課題を解決するための手段及び発明の効果】
本発明の印刷制御装置は、ケーブル状部材に巻き付けられるケーブル用ラベルに印刷されるべき文字列を記憶するための文字列記憶手段と、前記文字列記憶手段に記憶された文字列の印刷イメージを生成するための印刷イメージ生成手段と、複数のケーブル状部材について、識別情報と、各ケーブル状部材に巻き付けられるケーブル用ラベルの全体又はその一部の形状に関する情報である形状情報とを対応づけて記憶するためのケーブル情報記憶手段と、前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段とを備えている（請求項１）。
【０００７】
この構成によると、ケーブル用ラベルが巻き付けられるケーブル状部材をユーザが選択することにより、選択されたケーブル状部材に対応するケーブル用ラベルの全体又はその一部の形状に対応した範囲内及びこの範囲に隣接した範囲内の少なくともいずれか一方に文字列が印刷されたケーブル用ラベルを得ることができる。そのため、ユーザがケーブル用ラベルの形状を計算する必要がなくなり、ユーザの作業負担が軽減される。また、ユーザによる計算ミスが生じることがなくなるので、全体又はその一部の形状が所望の形状となったケーブル用ラベルを得ることが可能となる。
【０００８】
別の観点において、本発明の印刷制御装置は、ケーブル状部材に巻き付けられるケーブル用ラベルに印刷されるべき文字列を記憶するための文字列記憶手段と、前記文字列記憶手段に記憶された文字列の印刷イメージを生成するための印刷イメージ生成手段と、複数のケーブル状部材について、識別情報と、各ケーブル状部材に係る寸法とを対応づけて記憶するためのケーブル情報記憶手段と、前記ケーブル情報記憶手段に記憶された複数のケーブル状部材の識別情報のいずれかに対応したケーブル状部材がユーザによって選択されたときに、前記ケーブル情報記憶手段に記憶された、当該選択されたケーブル状部材に係る寸法に基づいて、ケーブル用ラベルの全体又はその一部の形状を決定するラベル形状決定手段と、前記印刷イメージ生成手段が生成した印刷イメージを、前記ラベル形状決定手段が決定したケーブル用ラベルの前記全体又はその一部の形状に対応した範囲内及びこの範囲に隣接した範囲内の少なくともいずれか一方に配置するための印刷イメージ配置手段とを備えている（請求項２）。
【０００９】
この構成によると、ケーブル用ラベルが巻き付けられるケーブル状部材をユーザが選択することにより、選択されたケーブル状部材に係る寸法に基づいてケーブル用ラベルの全体又はその一部の形状が決定され、決定された形状に対応した範囲内及びこの範囲に隣接した範囲内の少なくともいずれか一方に文字列が印刷されたケーブル用ラベルを得ることができる。そのため、ユーザがケーブル用ラベルの全体又はその一部の形状を計算する必要がなくなり、ユーザの作業負担が軽減される。また、ユーザによる計算ミスが生じることがなくなるので、全体又はその一部の形状が所望の形状となったケーブル用ラベルを得ることが可能となる。
【００１０】
本発明の印刷制御装置は、ケーブル用ラベルの前記全体又はその一部の形状に対応した範囲に隣接した範囲の形状を決定する隣接範囲形状決定手段をさらに備えていることが好ましい（請求項３）。これによると、隣接範囲の形状を適切なものとすることができる。そのため、例えば重ねしろ領域の長さを適切な長さとすることにより、印刷される文字列がケーブル用ラベル自体によって隠されてしまうのを防止することができる。
【００１１】
この場合、前記隣接範囲形状決定手段は、前記隣接した範囲の形状をケーブル状部材の寸法に応じて変化させてよい（請求項４）。これによると、例えば、ケーブル状部材の寸法に基づいて重ねしろを変化させケーブル状部材に応じた重ねしろ長にすることができるため、重ねしろに貼付する部分が剥がれにくくなる。
【００１２】
本発明において、ケーブル状部材に係る寸法はケーブル状部材の外径値であってよい（請求項５）。これによると、ケーブル状部材の既定値をそのまま使用することができるため、計算をする必要がなくなる。
【００１３】
本発明において、前記ケーブル情報記憶手段の記憶内容は、ユーザの操作に基づいて書換可能であることが好ましい（請求項６）。これによると、後から任意のケーブル状部材をユーザの希望に基づいて追加登録可能であるので、ユーザにとって使い勝手がよいものとなる。
【００１４】
本発明の印刷制御装置は、前記ケーブル情報記憶手段に記憶されたケーブル状部材の識別情報をディスプレイに表示させるための制御を行う識別情報表示制御手段をさらに備えていることが好ましい（請求項７）。これによると、ディスプレイにケーブル状部材の識別情報が表示されることで、ユーザが選択すべきケーブル状部材を選択しやすくなる。
【００１５】
この場合、前記識別情報表示制御手段は、ユーザによるケーブル状部材の選択頻度又は選択順序に応じて、ディスプレイにおけるケーブル状部材の識別情報の表示順序を変更することが好ましい（請求項８）。これにより、ユーザが選択すべきケーブル状部材をさらに選択しやすくなる。
【００１６】
本発明の印刷制御装置は、ケーブル用ラベルの前記全体又はその一部の形状を微調整する微調整手段をさらに備えていることが好ましい（請求項９）。これによると、ケーブル状部材に係る寸法から計算によって理論的に求められたケーブル用ラベルの全体又はその一部の形状と実際に必要なケーブル用ラベルの全体又はその一部の形状とのギャップを埋めることができるので、ケーブル用ラベルをケーブル状部材に巻き付けたときに、長さの過不足などが生じることが少なくなる。
【００１７】
この場合、前記微調整手段は、個々のケーブル状部材についてケーブル用ラベルの前記全体又はその一部の形状を独立に微調整可能であってよい（請求項１０）。これによると、ケーブル状部材の製造寸法のばらつきを個々のケーブル状部材について考慮することが可能となる。或いは、前記微調整手段は、複数のケーブル状部材についてケーブル用ラベルの前記全体又はその一部の形状を一括して微調整可能であってよい（請求項１１）。これによると、ケーブル状部材に係る寸法から計算によって理論的に求められたケーブル用ラベルの全体又はその一部の形状と実際に必要なケーブル用ラベルの全体又はその一部の形状とのギャップを一括して考慮することが可能となる。
【００１８】
本発明において、前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように配置してよい（請求項１２）。これによると、印刷イメージがケーブル用ラベルの幅方向に沿うように配置されるので、文字列の視認性がよくなる。
【００１９】
本発明において、前記印刷イメージ配置手段は、ケーブル用ラベルの前記全体又はその一部の形状に対応した範囲内及びこの範囲に隣接した範囲内の少なくともいずれか一方に含まれる印刷範囲のほぼ中央に、前記印刷イメージ生成手段が生成した印刷イメージを、ケーブル用ラベルの幅方向に沿うように配置してよい（請求項１３）。これによると、印刷イメージが印刷範囲のほぼ中央に配置されるので、ケーブル用ラベルにおける印刷イメージの印刷された部分が確実にケーブル状部材に巻き付けられる。したがって、文字列の視認性がよくなる。
【００２０】
本発明において、前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した複数個の印刷イメージを、ケーブル用ラベルの幅方向に沿うように均等間隔で配置してよい（請求項１４）。これによると、複数の文字列が印刷範囲内に均等配置されるので、観察者はどの方向からでも文字列を認識することができる。
【００２１】
本発明において、前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませてよい（請求項１５）。これによると、上下反対向きのものが複数の印刷イメージ中に含まれることにより、観察者にとって文字列が上下逆さまに見えるというおそれが少なくなり、文字列の視認性がよくなる。また、観察者がケーブル状部材を軸方向に回すことによって上下逆さまとなっていない文字列を少なくとも１つ探し出すことができる。この点からも、文字列の視認性がよくなる。
【００２２】
本発明において、前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージの配置方向が交互に１８０°異なるものとなるようにしてよい（請求項１６）。これによると、上下反対向きのものが複数の文字列中に交互に含まれることにより、観察者にとって全ての文字列が上下逆さまに見えるというおそれがほとんどなくなり、文字列の視認性がさらによくなる。
【００２３】
本発明において、前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージのうち最も外側に配置される２つの印刷イメージの配置方向が互いに１８０°異なるものとなるようにしてよい（請求項１７）。これによると、ケーブル状部材に巻き付けられるケーブル用ラベルの両端近傍領域が互いの裏面同士において接着される場合に、観察者にとっては上下が互いに逆さまの２つの文字列が表裏に表示されることになる。そのため、一方の文字列は観察者にとって上下方向が正しいものとなり、視認されやすくなる。
【００２４】
本発明の印刷制御装置は、ケーブル用ラベルの前記全体又はその一部の形状に対応した範囲内及びこの範囲に隣接した範囲内の少なくともいずれか一方に配置される印刷イメージのサイズを、前記ケーブル情報記憶手段に記憶された、ユーザによって選択されたケーブル状部材に係る寸法に応じて決定するための文字サイズ決定手段をさらに備えていてよい（請求項１８）。これによると、ケーブル状部材に係る寸法に応じた適切なサイズを有する文字列を印刷することが可能となる。
【００２５】
本発明において、前記ケーブル情報記憶手段は不揮発性記憶装置を含んでいてよい（請求項１９）。これによると、電源をオフにしてもケーブル状部材の識別情報及びケーブル状部材に係る寸法が保存されるので、電源を入れるたびにこれらのデータを再入力する必要がない。
【００２６】
なお、本発明は別の観点においては、コンピュータ（ＣＰＵなどの処理装置を内蔵したプログラムを実行可能な電子機器を含む）を上述のような印刷制御装置として機能させるためのプログラムである（請求項２０〜３７）。係るプログラムは、ＣＤ―ＲＯＭ、ＦＤ、ＭＯなどのリムーバブル型記録媒体やハードディスク等の固定型記録媒体に記録して配布可能である他、優先又は無線の電気通信手段によってインターネットなどの通信ネットワークを介して配布可能である。
【００２７】
【発明の実施の形態】
以下、本発明の好適な実施の形態について、図面を参照しつつ説明する。
【００２８】
図１は、本発明の第１の実施の形態に対応するテーププリンタの外観図である。図１に示すように、テーププリンタ１の前部の表面にはディスプレイ２とキーボード３が配置されている。テーププリンタ１の後部には開閉可能なカバーが設けられ、その内側にはサーマルヘッド４（図６参照）を備えた図示しないカセット装着部とが配置されている。
【００２９】
テーププリンタ１の被印刷媒体である印刷テープは、表面側に文字や記号が印刷される被印刷面を有し、裏面側に粘着材層を有する長尺テープ状の印刷媒体である被印刷シートと、シリコーン樹脂等により処理された離型性表面を有する剥離シートとを、剥離可能な積層させたものである。印刷テープ１０は、ロール状に巻き回された状態でラベルカセットに収納され、このラベルカセットはテーププリンタ１にカセット装着部により着脱自在に装着される。このテーププリンタ１の内部でラベルカセットから印刷テープ１０が引き出されて、前記ラベル露出部にて印刷された後、適切な長さで切断して、剥離シートから被印刷シートを剥離することにより、所望の物品に貼り付け可能なラベルとして用いることができる。
【００３０】
次に、テーププリンタ１によって得られるラベルについて説明する。テーププリンタ１は、印刷テープ１０の長手方向に沿って文字列が印刷される通常印刷を行うことができるほか、印刷テープ１０の幅方向に沿って文字列が印刷される回転印刷を行うことも可能である。ここでは、回転印刷が施されたケーブル用ラベルを例に説明する。回転印刷が施されたケーブル用ラベルには、長手方向一端部近傍だけに重ねしろ領域が形成されたもの（タイプＡ）と、中央部分に文字列が印刷されず長手方向両端部近傍に文字列が印刷されるもの（タイプＢ）とがある。
【００３１】
図２（ａ）、（ｂ）は、それぞれ、テーププリンタ１で得られたタイプＡの印刷済みのケーブル用ラベルの外観図である。図２（ａ）、（ｂ）に示すケーブル用ラベル１１ａ、１１ｂは、ラベル領域１３と、その長手方向に隣接する重ねしろ領域１４とから構成されている。ラベル領域１３は、貼付対象のケーブルを識別しやすくするためにケーブルに沿って巻かれるものであり、所望の文字列（ここでは、「ＡＢＣＤ」）が４つ印刷されている。ラベル領域１３の長さは、使用するケーブル外周長とほぼ同等である。重ねしろ領域１４は、ケーブルに巻き付けたときに、ケーブル用ラベル１１ａ、１１ｂの他端近傍の下に重ね合わされる領域である。そして、ラベル領域１３の長さと重ねしろ領域１４の長さ（重ねしろ長）とを足し合わせたものが、ケーブル用ラベル１１ａ、１１ｂのラベル全長となっている。
【００３２】
ラベル領域１３には、図２（ａ）に示すように、印刷される文字列がラベル１１ａの幅方向に沿って全て同方向となるように文字列が印刷される場合と、図２（ｂ）に示すように、印刷される文字列がラベル１１ｂの幅方向に沿って交互に逆方向（文字列の配置方向が交互に１８０°異なる）となるように文字列が印刷される場合とがある。前者及び後者いずれの場合も、複数の文字列がラベル領域１３の長手方向に沿って均等間隔で印刷されている。なお、図２（ａ）、（ｂ）に示されている破線は各領域の境界を分かりやすく示すためのもので、実際に印刷された線ではない。
【００３３】
図３は、ケーブル用ラベル１１ａがケーブル１８に貼付された状態を示す外観図である。ケーブル用ラベル１１ａをケーブル１８に貼付するには、まず、重ねしろ領域１４をケーブル１８の外周に巻き付ける。このとき、ケーブル用ラベル１１ａの幅方向がケーブル１８の軸方向と一致するようにする。さらに、重ねしろ領域１４に続いてラベル領域１３をケーブル１８に巻きつける。最後にラベル領域１３の端部近傍で重ねしろ領域１４を覆い、ラベル領域１３の他端近傍を上から重ねしろ領域１４に重ねる。
【００３４】
ケーブル用ラベル１１ａ、１１ｂにおいては文字列がケーブル用ラベルの幅方向に沿うように配置されているので、特にケーブル１８の外径が文字の大きさに比べて小さい場合に文字列の視認性がよくなる。また、ケーブル用ラベル１１ａ、１１ｂにおいては文字列がラベル領域１３のほぼ中央を含む全域に亘って配置されているので、文字列の印刷された部分が確実にケーブル１８に巻き付けられる。したがって、文字列の視認性がよくなる。また、４つの文字列がラベル領域１３内に均等配置されているので、観察者はどの方向からでも文字列を認識することができる。しかも、ケーブル用ラベル１１ａの場合には、ケーブル１８が軸方向に回転しても、ユーザは常に配置方向が同じ文字列を視認することができる。
【００３５】
なお、図２（ｂ）に示すケーブル用ラベル１１ｂがケーブル１８に貼付された場合は、上下反対向きのものが４つの文字列中に含まれることにより、観察者にとって文字列が上下逆さまに見えるというおそれが少なくなり、文字列の視認性がよくなる。また、観察者がケーブル１８を軸方向に回すことによって上下逆さまとなっていない文字列を少なくとも１つ探し出すことができ、この点からも、文字列の視認性が高められる。特に、図２（ｂ）に示すケーブル用ラベル１１ｂでは４つの文字列の配置方向が交互に１８０°異なるものとなっているので、上下反対向きのものが４つの文字列中に交互に含まれることにより、観察者にとって全ての文字列が上下逆さまに見えるというおそれがほとんどなくなり、文字列の視認性がさらによくなる。
【００３６】
図４（ａ）、（ｂ）は、それぞれ、テーププリンタ１で得られたタイプＢの印刷済みのケーブル用ラベルの外観図である。図４（ａ）、（ｂ）に示すケーブル用ラベル１２ａ、１２ｂは、両端に設けられたラベル領域１５ａ、１５ｂとその間に配置されているケーブル領域１６とから構成されている。ラベル領域１５ａ、１５ｂにはそれぞれ所望の文字列（ここでは、「ＡＢＣＤ」）が１つだけ印刷されている。ケーブル領域１６の長さは、ケーブル外周長とほぼ同じである。ラベル領域１５ａ、１５ｂの長さと、ケーブル領域１６の長さとを足し合わせたものが、ケーブル用ラベル１２ａ、１２ｂのラベル全長となっている。
【００３７】
ケーブル用ラベル１２ａにおいては、図４（ａ）に示すように、ラベル領域１５ａに印刷される文字列とラベル領域１５ｂに印刷される文字列とが共にラベル１２ａの幅方向に沿って同じ方向となっている。一方、ケーブル用ラベル１２ｂにおいては、図４（ｂ）に示すように、ラベル領域１５ａに印刷される文字列とラベル領域１５ｂに印刷される文字列とが共にラベル１２ａの幅方向に沿っているものの互いに逆方向（文字列の配置方向が交互に１８０°異なる）となっている。なお、図４（ａ）、（ｂ）に示されている破線は各領域の境界を分かりやすく示すためのもので、実際に印刷された線ではない。
【００３８】
図５は、ケーブル用ラベル１２ａがケーブル１８に貼付された状態を示す外観図である。ケーブル用ラベル１２ａをケーブル１８に貼付するには、まず、ケーブル領域１６をケーブル１８の外周に巻き付ける。このとき、ケーブル用ラベル１２ａの幅方向がケーブル１８の軸方向と一致するようにする。さらに、ケーブル領域１６に続いてラベル領域１５ａ、１５ｂがケーブル１８の表面に対してほぼ直交する方向に延在するように両者を互いに背合わせに重ね合わせる。
【００３９】
ケーブル用ラベル１２ａにおいては、ケーブル１８が軸方向に回転しても、ユーザは常に配置方向が同じ文字列を視認することができる。
【００４０】
なお、図４（ｂ）に示すケーブル用ラベル１２ｂが図５に示すようにケーブル用ラベル１２ｂの両端近傍領域が互いの裏面同士において接着される場合、ラベル領域１５ａ、１５ｂに印刷された文字列の配置方向が互いに１８０°異なるので、上下が互いに逆さまの２つの文字列が表裏に表示されることになる。したがって、一方の文字列は観察者にとって上下方向が正しいものとなり、視認されやすくなる。
【００４１】
次に、テーププリンタ１の構成について図６を参照しつつ説明する。図６は、テーププリンタ１の構成を示すブロック図である。テーププリンタ１は、ディスプレイ２と、キーボード３と、サーマルヘッド４と、制御部６とを有している。ディスプレイ２は、モノクロ液晶ディスプレイから構成される。
【００４２】
キーボード３は、テーププリンタ１の表面に配置され、印刷しようとする文字の入力を行うテキストキー、カーソルの移動を行うカーソルキー、テーププリンタ１の各種機能を呼び出す機能割付けキー（印刷キー、ケーブル情報設定キー等）から構成される。
【００４３】
サーマルヘッド４は、カセット装着部内に設けられ、テープカセットの側面に設けられたテープ露出部に対応する位置に配置されている。サーマルヘッド４には、制御部６により電気的にコントロールされる発熱素子が印刷テープ１０の幅方向（印刷テープの長手方向に対して垂直の方向）に沿って多数配置されている。
【００４４】
制御部６は、ＣＰＵ（Ｃｅｎｔｒａｌ  Ｐｒｏｃｅｓｓｉｎｇ  Ｕｎｉｔ）６１と、ＲＯＭ（Ｒｅａｄ  Ｏｎｌｙ  Ｍｅｍｏｒｙ）６２と、ＲＡＭ（Ｒａｎｄｏｍ  Ａｃｃｅｓｓ  Ｍｅｍｏｒｙ）６３と、フラッシュメモリ６４と、データバス６５と、インターフェースユニット６６とから構成されている。ＣＰＵ６１は、各種コマンドに従って演算処理を行う中央演算処理装置である。ＲＯＭ６２は、ＣＰＵ６１により、図６の各機能部を制御し、図８から図１２のフローチャートを動作させるための演算プログラムが格納されている不揮発性の読出し専用メモリである。ＲＡＭ６３は、ＣＰＵ６１がプログラムを実行する際に使用するデータの一時記憶用の揮発性の読出し又は書き込みメモリである。フラッシュメモリ６４は、ユーザによる書き込み及び消去が可能な不揮発性メモリであり、ケーブル記憶部６４１と、プログラムの実行にあたって必要なその他データを記憶するエリアとで構成されている。
【００４５】
インターフェースユニット６６は、モジュールとして分離されたディスプレイ２などの部品と制御部６とを直接的、間接的に電気的接続する接続部である。また、データバス６５は、ＣＰＵ６１と、ＲＯＭ６２と、ＲＡＭ６３と、フラッシュメモリ６４と、インターフェースユニット６６とを、それぞれ電気的に接続するデータ転送用ライン群である。制御部６内の全ての転送データはデータバス６５を介して転送される。
【００４６】
次に、テーププリンタ１の機能について図６を参照しつつ説明する。制御部６は、ＲＡＭ６３によって構成される文字列記憶部（文字列記憶手段）６３１と、フラッシュメモリ６４によって構成されるケーブル情報記憶部（ケーブル情報記憶手段）６４１と、ＣＰＵ６１によって構成される識別情報表示制御部（識別情報表示制御手段）６１１と、ラベル長決定部（ラベル形状決定手段）６１２と、印刷イメージ生成部（印刷イメージ生成手段）６１３と、文字サイズ決定部（文字サイズ決定手段）６１４と、印刷イメージ配置部（印刷イメージ配置手段）６１５と、重ねしろ長決定部（隣接範囲形状決定手段）６１６と、微調整部（微調整手段）６１７とを有している。
【００４７】
文字列記憶部６３１は、ユーザによりキーボード３から入力された印刷対象の文字列の各文字データを記憶する。文字データには、ＲＯＭ６２に記憶されているフォントデータに対応したテキストコードと、修飾内容や文字サイズ等を決定するデータとが含まれる。
【００４８】
ケーブル情報記憶部６４１は、複数のケーブル情報を記憶する。ここでケーブル情報は、ケーブルの名称及びその外径値から構成されている。また、ケーブル情報は、フラッシュメモリ６４に記憶されていることにより、ユーザのキーボード操作に基づいて追加、削除又は編集することができるので、ユーザにとって使い勝手がよいものとなる。しかも、電源をオフにしてもケーブル情報が消去されることなく保存されるので、電源を入れるたびにケーブル情報を再入力する必要がない。
【００４９】
識別情報表示制御部６１１は、ケーブル情報記憶部６４１に記憶されている複数のケーブル情報の一覧及び次段において実行される処理を文字で表示したユーザ操作選択文字列をディスプレイ２に表示させるための制御を行う。また、識別情報表示制御部６１１は、ユーザによるケーブル状部材の選択頻度及び／又は選択順序に基づいて、ケーブル情報記憶部６４１に記憶されているケーブル情報の表示順序を変更してディスプレイ２に表示させることができる。
【００５０】
ここでケーブル情報及びユーザ操作選択文字列について図７を参照しつつ説明する。図７はディスプレイ２に表示されるケーブル情報の一覧及びユーザ操作選択文字列の表示例である。ディスプレイ２には、ケーブル情報記憶部６４１に記憶されている複数のケーブル情報（ケーブルの名称と外径との組であって、図７では、「１．５Ｃ−ＳＸＢＶ    ：３．１」、「１．５Ｓ−ＳＸＢＶ    ：３．０」、「２．０Ｓ−ＳＸＢＶ    ：３．６」、「３．６Ｓ−ＳＸＢＶ    ：５．０」、「５．０Ｓ−ＳＸＢＶ    ：２．６」の５種類）と、ユーザ操作選択文字列（図７では、「外径入力」、「微調整入力」、及び、「ケーブル登録」の３種類）とが表示される。ここで「外径入力」とは、ユーザによりケーブル外径値を直接入力させる処理を開始させるものである。また、「微調整入力」とは、後述する微調整入力処理を開始させるものである。さらに、「ケーブル登録」とは、後述するケーブル情報登録処理を開始させるものである。
【００５１】
ラベル長決定部６１２は、ケーブル外径値（直径）と円周率との掛け算を行うことによってケーブルの外周長を算出し、タイプＡのケーブル用ラベルについては算出された値をラベル領域１３の長さと決定する。他方、ラベル長決定部６１２は、タイプＢのケーブル用ラベルについては、算出された値をケーブル領域１６の長さと決定する。ここで、ケーブル外径値としては、予めユーザにより入力され、ラベル作製時にユーザによって選択されたものが用いられる。このように本実施の形態ではケーブルの外径値に基づいてラベル長を決定するので、ケーブル状部材の既定値をそのまま使用することができ、ラベルを作成する度にユーザにおいて計算をする必要がなくなる。
【００５２】
微調整部６１７は、ユーザが登録した微調整パラメータに基づいて、ラベル長決定部６１２で決定されたラベル領域１３又はケーブル領域１６の長さを微調整する。したがって、ケーブル状部材の外径値から計算によって理論的に求められたラベル領域１３又はケーブル領域１６の長さと実際に必要なラベル領域１３又はケーブル領域１６の長さとのギャップを埋めることができるので、ケーブル用ラベルをケーブル状部材に巻き付けたときに、ラベル領域１３又はケーブル領域１６の長さの過不足などが生じることが少なくなる。
【００５３】
また、本実施の形態において、微調整部６１７は、ケーブル情報記憶部６４１に記憶された個々のケーブル状部材についてラベル領域１３又はケーブル領域１６の長さを独立に微調整可能である。そのため、ケーブル状部材の製造寸法のばらつきを個々のケーブル状部材について考慮することが可能となる。
【００５４】
なお、変形例として、微調整部６１７は、ケーブル情報記憶部６４１に記憶された複数のケーブル状部材について、ラベル領域１３又はケーブル領域１６の長さを一括して微調整可能であってもよい。これによると、ケーブル状部材に係る寸法から計算によって理論的に求められたケーブル用ラベルの形状と実際に必要なケーブル用ラベルの形状とのギャップを一括して考慮することが可能となる。
【００５５】
重ねしろ長決定部６１６は、タイプＡのケーブル用ラベル１１ａ、１１ｂについては重ねしろ領域１４の長さを決定し、タイプＢのケーブル用ラベル１２ａ、１２ｂについてはラベル領域１５ａ、１５ｂの長さを決定する。重ねしろ長決定部６１６が決定する重ねしろ領域１４の長さ及びラベル領域１５ａ、１５ｂの長さは、ケーブル状部材の外径が大きくなるに連れて大きくなる。そのため、重ねしろ領域１４やラベル領域１５ａ、１５ｂにおいてケーブル用ラベルが剥がれにくくなる。
【００５６】
印刷イメージ生成部６１３は、文字列記憶部６３１に記憶されている文字列の印刷イメージを生成する。ここで印刷イメージの生成とは、文字列のテキストデータと、文字サイズ決定部６１４により決定された文字サイズと、フォント形状と、太文字や斜体等の文字装飾やフレーム枠等の行修飾の有無とに基づいて、ＲＡＭ６３の作業エリア上に実際の印刷状態に即したドットパターンデータを展開する作業である。
【００５７】
文字サイズ決定部６１４は、印刷イメージ生成部６１３により生成される印刷イメージが、印刷範囲内に収まるように、印刷対象の文字列の文字サイズを調整する。ここで印刷範囲とは、図２（ａ）、（ｂ）に示したラベル領域１３内、又は、図４（ａ）、（ｂ）に示したラベル領域１５ａ、１５ｂ内に設定された、文字列が印刷される範囲である。かかる文字サイズ決定部６１４により、ケーブル状部材の外径に応じた適切なサイズの文字列を印刷可能となっている。
【００５８】
印刷イメージ配置部６１５は、フラッシュメモリ６４又はＲＡＭ６３に記憶された印刷設定内容に基づいて、印刷イメージ生成部６１３により生成された印刷イメージを、ラベル領域１３；１５ａ、１５ｂに配置する。これにより、図２（ａ）、（ｂ）、図４（ａ）、（ｂ）に示すようなケーブル用ラベル１１ａ、１１ｂ；１２ａ、１２ｂが得られる。
【００５９】
次に、本実施の形態によるテーププリンタ１の動作について、図８を参照しつつ説明する。図８は、テーププリンタ１の全体の動作手順を表したフローチャートである。テーププリンタ１に対する電源投入により、テーププリンタ１は動作開始となる。まず、ステップＳ１０（以下、Ｓ１０と略す。他のステップも同様）に移行してテーププリンタ１の全体の初期化を行う。具体的には、ＣＰＵ６１、ＲＡＭ６３、及びインターフェースユニット６６の動作チェックや初期化を行い、さらにインターフェースユニット６６に接続されているディスプレイ２やサーマルヘッド４の動作チェックやハードウェアの初期化を行う。異常がなければ、ＲＡＭ６３に格納するデータや各部機能の初期化を行う。これら完了すればディスプレイ２に操作画面を表示させる。その後Ｓ１１に移行する。
【００６０】
Ｓ１１では、ケーブル選択処理を行う。ここでケーブル選択処理とは、図７のような画面をディスプレイ２に表示し、その中から１つのケーブルをユーザに選択させる処理である。ケーブル選択処理の詳細については後で説明する。ケーブル選択処理が完了すると、その後Ｓ１２に移行する。
【００６１】
Ｓ１２では、ユーザによりキーボード３からキー入力がなされたか否かを判断する。ユーザはディスプレイ２に表示された表示画面を見ながらキーボード３によりキー入力を行うことで、文字列記憶部６３１に記憶される文字列の入力などのテーププリンタ１の操作が可能となる。テーププリンタ１は初期化完了時には文字列の入力が可能な状態で待機しており、ユーザは対象印刷となる文字列をキーボード３に配置されるテキストキーで入力することができる。また、入力待機状態においても印刷キー等の各機能を呼び出す機能割付けキーを入力することで機能を呼び出すことができる。ユーザによりキーが入力された場合には（Ｓ１２：ＹＥＳ）、入力されたキーのキーコードをＲＡＭ６３の作業エリアに記憶してＳ１３に移行する。ユーザによりキーが入力されていない場合には（Ｓ１２：ＮＯ）、Ｓ１２に移行する。
【００６２】
Ｓ１３では、Ｓ１２において入力されたキーのキーコードから、入力されたキーがテキストキーか否かを判断する。Ｓ１２において入力されたキーがテキストキーの場合には（Ｓ１３：ＹＥＳ）、Ｓ１４に移行して入力編集処理を行う。ここで入力編集処理とは、Ｓ１２において、ＲＡＭ６３の作業エリアに記憶されているキーコードからキーコードに対応しているテキストコードを導出し、そのテキストコードを文字データとして文字列記憶部６３１に格納する作業である。入力編集処理が完了すると再びＳ１２に移行する。Ｓ１２で入力されたキーがテキストキーでない場合には（Ｓ１３：ＮＯ）、Ｓ１５に移行する。
【００６３】
Ｓ１５では、Ｓ１２において入力されたキーが印刷キーか否かを判断する。Ｓ１２において入力されたキーが印刷キーである場合には（Ｓ１５：ＹＥＳ）、Ｓ１６に移行してイメージ発生印刷処理を行う。ここでイメージ発生印刷処理とは、印刷イメージ生成部６１３によって生成されたイメージを、印刷イメージ配置部６１５によって、ラベル領域１３又はラベル領域１５ａ、１５ｂに配置する作業である。イメージ発生印刷処理が完了すると、再びＳ１２に移行する。Ｓ１２で入力されたキーが印刷キーでない場合には（Ｓ１５：ＮＯ）、Ｓ１７に移行する。
【００６４】
Ｓ１７では、Ｓ１２において入力されたキーがケーブル外径変更キーか否かを判断する。Ｓ１２で入力されたキーがケーブル外径変更キーである場合には（Ｓ１７：ＹＥＳ）、Ｓ１８に移行してＳ１１と同様のケーブル選択処理を行う。ケーブル選択処理が完了すると、再びＳ１２に移行してユーザによるキー入力を待つ。Ｓ１２において入力されたキーがケーブル外径変更キーでない場合には（Ｓ１７：ＮＯ）、Ｓ１９に移行してその他の処理を行う。ここでその他の処理とは、ケーブル外径変更キー以外の機能呼び出しキーに対する各処理やカーソルキーの処理等の作業である。その他の処理が完了すると、再びＳ１２に移行する。テーププリンタ１の制御装置の終了は、テーププリンタ１の電源スイッチを「ＯＦＦ」にすることで実現される。
【００６５】
次に、図８のフローチャートにおけるＳ１１及びＳ１８のケーブル選択処理の詳細について説明する。図９はケーブル選択処理の処理手順についてのフローチャートである。ケーブル選択処理では、まず、Ｓ３０において、識別情報表示制御部６１１によりケーブル情報記憶部６４１に記憶されているケーブル情報の一覧を含む図７の画面をディスプレイ２に表示し、その後、Ｓ３１に移行する。
【００６６】
Ｓ３１では、Ｓ３１において表示されたケーブル情報の一覧から、ユーザによりいずれかのケーブル名称にカーソルが合わされた状態でキーボード３のＤＥＬキーが押されたか否かを判断する。名称にカーソルが合わされた状態でキーボード３のＤＥＬキーが押された場合には（Ｓ２１：ＹＥＳ）、Ｓ３２に移行して選択された名称に係るケーブル情報をケーブル情報記憶部６４１から消去する。消去が完了すると、Ｓ３０に移行しケーブル情報の一覧を表示しユーザからの操作を待つ。Ｓ３１においてケーブル名称にカーソルが合わされた状態でキーボード３のＤＥＬキーが押されていない場合には（Ｓ３１：ＮＯ）、Ｓ３３に移行する。
【００６７】
Ｓ３３では、ユーザにより「微調整入力」が選択（カーソルを合わせた状態でエンターキー押下）されたか否かを判断する。Ｓ３３において微調整入力が選択された場合には（Ｓ３３：ＹＥＳ）、Ｓ３４に移行して微調整部６１７が微調整入力処理を行う。ここで微調整入力処理とは、ケーブル情報記憶部６４１に記憶されているケーブル外径値の微調整パラメータをユーザに入力させる作業である。微調整入力処理の詳細は後で説明する。微調整入力処理が完了すれば、Ｓ３７に移行する。
【００６８】
Ｓ３７では、Ｓ３４において微調整パラメータが入力されたケーブル情報が識別情報表示制御部６１１により次回ケーブル情報の一覧の選択しやすい位置（例えば最上位置）に表示されるように、識別情報表示制御部６１１によって表示情報が設定される。設定が完了すると再びＳ３０に移行する。Ｓ３３において微調整入力が選択されていない場合には（Ｓ３３：ＮＯ）、Ｓ３５に移行する。
【００６９】
Ｓ３５では、ユーザにより「ケーブル登録」が選択（カーソルを合わせた状態でエンターキー押下）された否かを判断する。Ｓ３５においてケーブル登録が選択された場合には（Ｓ３５：ＹＥＳ）、Ｓ３６に移行してケーブル情報登録処理を行う。ここでケーブル情報登録処理とは、ユーザによりキーボード３で入力されたケーブルの名称及びその外径値を、ケーブル情報記憶部６４１に記憶させる作業である。ケーブル情報登録処理が完了すると、Ｓ３７に移行してＳ３６において登録されたケーブル情報が識別情報表示制御部６１１により次回ケーブルの一覧の選択しやすい位置に表示されるように、識別情報表示制御部６１１により表示情報が設定される。設定が完了すると再びＳ３０に移行する。Ｓ３５においてケーブル登録が選択されていない場合には（Ｓ３５：ＮＯ）、Ｓ３８に移行する。
【００７０】
Ｓ３８では、ユーザにより「外径入力」が選択（カーソルを合わせた状態でエンターキー押下）されたか否かを判断する。外径入力が選択された場合には（Ｓ３８：ＹＥＳ）、Ｓ３９に移行してユーザがケーブル外径値をキーボード３により直接入力する。入力が完了すれば、図９のフローチャートを終了して図８のフローチャートに戻り、再びＳ１２に移行する。外径入力が選択されていない場合には（Ｓ３８：ＮＯ）、Ｓ４０に移行する。
【００７１】
Ｓ４０では、ケーブル情報の一覧に表示された複数のケーブル情報のいずれかが選択（カーソルを合わせた状態でエンターキー押下）されたか否かを判断する。いずれか１つのケーブル情報が選択された場合には（Ｓ４０：ＹＥＳ）、Ｓ４１に移行してケーブル情報記憶部６４１に記憶されているケーブル情報から当該選択されたケーブル情報に対応するケーブル外径値を読み出す。その後、Ｓ４２に移行して選択されたケーブル情報が次回ケーブル情報一覧の選択しやすい位置に表示されるように、識別情報表示制御部６１１により表示情報が設定される。設定後、図９のフローチャートを終了して図８のフローチャートに戻り、Ｓ１２に移行して、ユーザのキー入力を待つ。いずれか１つのケーブル情報が選択されていない場合には（Ｓ４０：ＮＯ）、再びＳ３０に移行する。
【００７２】
次に、図９のフローチャートにおけるＳ３４の微調整入力処理について、図１０を参照しつつ説明する。図１０は微調整入力処理手順についてのフローチャートである。まず、Ｓ５０において、微調整値一覧画面がディスプレイ２に表示される。微調整値一覧画面には、ケーブル外径値に対して例えば＋３０％〜−２５％までの微調整パラメータが５％刻みで表示され、ユーザはキーボードを用いていずれかの微調整パラメータにカーソルを合わせた状態でエンターキーを押下することで、当該微調整パラメータを選択することができる。
【００７３】
微調整値一覧画面が表示されれば、Ｓ５１に移行してユーザが希望する調整値を選択する。その後、Ｓ５２に移行して、選択された微調整パラメータがケーブル情報記憶部６４１に記憶された個々のケーブル状部材ごとにフラッシュメモリ６４に記憶される。そして、図１０のフローチャートを終了し、図９のフローチャートに戻る。
【００７４】
次に、図９のフローチャートにおけるＳ３６のケーブル情報登録処理について、図１１を参照しつつ説明する。図１１はケーブル情報登録処理手順についてのフローチャートである。まず、Ｓ７０においてケーブル名入力画面をディスプレイ２に表示する。表示後、Ｓ７１に移行してユーザがキーボード３によりケーブルの名称を入力する。ここで入力するケーブルの名称は、ユーザが判別しやすいケーブル名であってよいし、型番のようなものでもよい。次に、Ｓ７２に移行してＳ７１で入力したケーブルの名称に対する外径値を入力する。入力が完了すれば、Ｓ７３に移行して、Ｓ７１において入力されたケーブルの名称が、ケーブル情報記憶部６４１に記憶されているケーブル名と同一か否かを判断する。Ｓ７１において入力されたケーブルの名称と同一の名がケーブル情報記憶部６４１に記憶されている場合には（Ｓ７３：ＹＥＳ）、Ｓ７４に移行してエラーとしてその旨をディスプレイ２に表示する。その後、再びＳ７０に移行する。
【００７５】
Ｓ７１において入力されたケーブルの名称と同一の名がケーブル情報記憶部６４１に記憶されていない場合には（Ｓ７３：ＮＯ）、Ｓ７５に移行してＳ７１とＳ７２において入力されたケーブルの名称及びその外径値をケーブル情報記憶部６４１に登録する。登録が完了すると、Ｓ７６に移行しケーブル情報の一覧表を更新する。その後、図１１のフローチャートを終了し、図９のフローチャートに戻る。
【００７６】
次に、図８のフローチャートにおけるＳ１６のイメージ発生印刷処理について、図１２を参照しつつ説明する。図１２は、イメージ発生印刷処理手順についてのフローチャートである。まず、Ｓ８０において作製すべきケーブル用ラベルがタイプＡのケーブル用ラベル１１ａ、１１ｂか否かを判断する。目的のケーブル用ラベルがタイプＡのケーブル用ラベル１１ａ、１１ｂの場合には（Ｓ８０：ＹＥＳ）、Ｓ８１に移行してラベル長決定部６１２によりケーブル外径値に基づいてラベル領域１３の長さが決定される。このとき、微調整パラメータが登録されている場合には、微調整部６１７が微調整パラメータに基づいてラベル領域１３の長さを微調整する。そして、ケーブル用ラベル１１ａ、１１ｂの長さの決定後、Ｓ８２に移行する。
【００７７】
Ｓ８２では、印刷イメージ生成部６１３により印刷イメージを生成する。このときに、生成された印刷イメージがラベル領域１３内に収まるように、文字サイズ決定部６１４により文字列の文字サイズを調整する。その後、Ｓ８３に移行する。
【００７８】
Ｓ８３では、Ｓ８１において決定したラベル領域１３の長さを基に、印刷範囲内に印刷可能である印字可能行数及び行間を算出する。具体的には、ケーブル用ラベル１１ａ、１１ｂ上に印刷される文字列の数が設定されている場合に、入力された文字列自体が１行であったときには、設定された文字列の数がそのまま行数となる。また、入力された文字列自体が複数行であったときでも、その複数行の文字列を１行とする設定がされていれば、設定された文字列の数がそのまま行数となる。一方、このとき、複数行の文字列の各行を１行とする設定がされていれば、設定された文字列の数に入力された文字列の行数を乗じたものが行数となる。
【００７９】
また、ケーブル用ラベル１１ａ、１１ｂ上に印刷される各文字列間の距離（行間）が設定されている場合は、印刷範囲と、各文字列間の距離と、文字列の高さとに基づいて、文字列がケーブル用ラベル１１ａ、１１ｂのラベル領域１３の長手方向の両端に配置され、かつ残りの文字列が両端に配置された文字列の間に等間隔に配置されるような行数を算出する。この際、入力された文字列自体が複数行であるときの扱いは上述したのと同様に２通りある。
【００８０】
次に、算出された印字可能行数を基に、行間を算出する。ケーブル用ラベル１１ａ、１１ｂ上に印刷される文字列の数が設定されている場合は、Ｓ８１で決定されたラベル領域１３の長さと、算出した行数と、文字列の高さとに基づいて、文字列がケーブル用ラベル１１ａ、１１ｂのラベル領域１３の長手方向両端に配置され、かつ残りの文字列が両端に配置された文字列の間に等間隔に配置されるような行間を算出する。行間の算出において端数が生じることがあるが端数を一部の行間に割り振りすることで調整する。これにより、各行間は厳密には等間隔とはいえないが、視覚的な効果の変化はほとんどない。行間の計算が終了すればＳ８４に移行する。
【００８１】
Ｓ８４では、印刷イメージ配置部６１５により、Ｓ８１において生成された印刷イメージを、Ｓ８３において算出された行数及び行間に基づいて、ラベル領域１３内に配置する。ここで印刷する文字列の配置方向を交互に逆にすることも可能である。配置完了後、Ｓ８５に移行する。
【００８２】
Ｓ８５では、Ｓ８４において配置された印刷イメージが印刷可能か否かを、テープの残量などの様々な条件が満足されているかに基づいて判断する。Ｓ８２で生成した印刷イメージが印刷可能である場合には（Ｓ８５：ＹＥＳ）、Ｓ８６に移行し印刷処理を行う。ここで印刷処理とは、印刷イメージ配置部６１５により配置された印刷イメージにしたがって、サーマルヘッド４により印刷テープ１０に対して印刷を行う作業である。印刷処理が完了すれば、重ねしろ長決定部６１６が決定した重ねしろ長分だけ印刷テープを搬送してから図１２のフローチャートを終了し、図８のフローチャートに戻り、再びＳ１２に移行する。Ｓ８２で生成した印刷イメージが印刷不可能の場合には（Ｓ８５：ＮＯ）、Ｓ９１に移行して、エラーとしてその旨をディスプレイ２に表示する。その後、図１２のフローチャートを終了し、図８のフローチャートに戻り、再びＳ１２に移行する。
【００８３】
Ｓ８０において、作製すべきケーブル用ラベルがタイプＡのケーブル用ラベル１１ａ、１１ｂでない場合（つまり、タイプＢのケーブル用ラベル１２ａ、１２ｂである場合）には（Ｓ８０：ＮＯ）、Ｓ８８に移行する。Ｓ８８では、文字列記憶部６３１に記憶されている文字列の印刷イメージを印刷イメージ生成部６１３により生成し、それを印刷イメージ配置部６１５により図４（ａ）、（ｂ）に示すラベル領域１５ａ（重ねしろ長決定部６１６で長さが決定されたもの）に配置する。そして、Ｓ８９に移行する。Ｓ８９では、ケーブル外径値に基づいてラベル長決定部６１２がケーブル領域１６の長さを算出し、算出されたケーブル領域１６の長さ分の空白を確保し、Ｓ９０に移行する。ここで空白を確保とは、空白分には印刷イメージを配置しないようにするということである。Ｓ９０では、文字列記憶部６３１に記憶されている文字列の印刷イメージを印刷イメージ生成部６１３により生成し、それを印刷イメージ配置部６１５により図４（ａ）、（ｂ）に示すラベル領域１５ｂ（重ねしろ長決定部６１６で長さが決定されたもの）に配置する。ここで印刷する文字列方向を逆にすることも可能である。印刷イメージ配置後、Ｓ８５に移行する。なお、タイプＢのケーブル用ラベル１２ａ、１２ｂの場合、タイプＡとは異なり、Ｓ８６において印刷処理完了後に重ねしろ長決定部６１６が決定した重ねしろ長分だけ印刷テープを搬送するという処理を行わない。
【００８４】
以上説明したように、本実施の形態において、ケーブル１８に貼付するケーブル用ラベル１１ａ、１１ｂ又はケーブル用ラベル１２ａ、１２ｂを作製する場合には、印刷を行う都度ユーザがケーブルの外径寸法からラベル長を計算により求める必要がなく、ディスプレイ２に表示されたケーブル情報のうち希望するケーブル１８をユーザがキーボード３を用いて選択すればよい。したがって、ユーザの負担を軽減することができる。また、計算ミスによって長さの合わないラベルが印刷されるおそれがなくなる。
【００８５】
次に、本発明の第２の実施の形態について説明する。本実施の形態の印刷制御装置の構成は、ラベル長決定部６１２が存在していない点、ケーブル情報記憶部６４１がケーブル名称とケーブル用ラベルの長さ（ラベル領域１３又はケーブル領域１６の長さ）とを対応付けて記憶している点、及び、印刷イメージ配置部６１５がケーブル情報記憶部６４１に記憶されたラベル領域１３内又はケーブル領域１６に隣接したラベル領域１５ａ、１５ｂ内に印刷イメージを配置する点において、第１の実施の形態と相違している。
【００８６】
つまり、本実施の形態では、ケーブル情報記憶部６４１がケーブルの外径値ではなくラベル領域１３又はケーブル領域１６の長さを記憶しているために、ＣＰＵ６１がケーブルの外径値からラベル領域１３又はケーブル領域１６の長さを算出する必要がない。
【００８７】
本実施の形態の印刷制御装置の動作が第１の実施の形態と異なるのは、まず、図９のＳ４１においてケーブル外径値の代わりに、ケーブル用ラベルの長さ（ラベル領域１３又はケーブル領域１６の長さ）を読み出す点である。そして、この読み出し後に、微調整が行われる。また、図１１のＳ７２において、Ｓ７１で入力したケーブルの名称に対する外径値の代わりに、ラベル領域１３又はケーブル領域１６の長さを入力する点、及び、Ｓ７５においてケーブルの外径値の代わりにラベル領域１３又はケーブル領域１６の長さをケーブル情報記憶部６４１に登録する点においても相違している。さらに、Ｓ８１及びＳ８９で行うようなラベル領域１３又はケーブル領域１６の長さの決定処理が行われない（ただし、Ｓ８９においてケーブル外周分の空白確保処理が行われる）。
【００８８】
以上説明した第２の実施の形態によっても、第１の実施の形態と実質的に同様の利益が得られる。加えて、本実施の形態によると、ラベル領域１３又はケーブル領域１６の長さ決定に伴う演算が省略される分だけ、高速な処理が可能である。
【００８９】
以上、本発明の好適な実施の形態について説明したが、本発明は上述の実施の形態に限られるものではなく、特許請求の範囲に記載した限りにおいて様々な設計変更が可能なものである。例えば、上述の実施の形態では、ラベルを貼付するものをケーブルとしているが、円柱状又はこれと形状が類似したケーブル状部材であれば本発明は適用可能である。
【００９０】
また、タイプＡのケーブル用ラベルには重ねしろ領域を設けなくてもよい。この場合、上述した実施の形態ではラベル長決定部６１２がケーブル用ラベル１１ａ、１１ｂの一部の長さを決定しているのに対して、ラベル長決定部６１２がケーブル用ラベル１１ａ、１１ｂの全体の長さを決定することになる。また、上述の実施の形態では、重ねしろ長をケーブルの寸法に応じて変化させているが、重ねしろ長をケーブルの寸法に関わらず固定としてもよい。
【００９１】
上述の実施の形態では形状としてケーブル用ラベルの長さを例に説明しているが、長さ以外の寸法が決定されるような構成であってもよい。
【００９２】
上述の実施の形態では、ケーブル状部材に係る寸法として外径値を用いているが、外径値以外の寸法を用いてもよい。また、上述の実施の形態では、ケーブル情報はユーザにより書換可能であるが、ケーブル情報を固定とし、ユーザによる書換不可能としてもよい。また、上述の実施の形態では、ケーブル情報をテーププリンタに組み込まれているディスプレイに表示させているが、プリンタに接続されたパーソナルコンピュータ上に表示させてもよい。
【００９３】
上述の実施の形態では、印刷イメージをケーブル用ラベルの幅方向に沿うように配置しているが、ケーブル用ラベルの長手方向に配置されるようにしてもよい。また、上述の実施の形態では、ケーブル用ラベルに印刷される文字列の間隔は全て均等であるが、均等であることに限定されず視覚的違和感を起こさせない程度で不均等でもよい。例えば、文字列が複数行である場合に、１つの文字列の各行間と文字列間が不均等でもよい。
【００９４】
また、上述の実施の形態では、文字サイズ決定部６１４において、文字サイズ調整で印刷イメージのサイズを調整しているが、このような調整は行わなくてもよい。また、上述の実施の形態では、文字列記憶部６３１において、記憶されるデータはテキストデータであるが、例えば別に記憶されているイメージデータに対応するコード又はイメージデータを記憶してもよい。
【００９５】
上述の実施の形態では、微調整入力時にパーセンテージで微調整しているが、別の単位で微調整してもよい。例えば、記憶されている外径値からミリ単位でプラスもしくはマイナスして微調整してもよい。
【００９６】
さらに、上述の実施の形態は、印刷制御装置がテーププリンタに組み込まれたタイプについて説明したが、本発明はこのような構成に限定されるものではなく、テーププリンタ以外のプリンタに組み込まれてもよいし、プリンタに接続されたパーソナルコンピュータ上に印刷制御装置が構成されてもよい。
【図面の簡単な説明】
【図１】本発明の第１の実施の形態による印刷制御装置が組み込まれたテーププリンタの斜視図である。
【図２】図１に示すテーププリンタで得られたケーブル用ラベルの印刷例である。
【図３】図２に示すラベルをケーブルに貼付した外観図である。
【図４】図１に示すテーププリンタで得られたケーブル用ラベルの印刷例である。
【図５】図４に示すラベルをケーブルに貼付した外観図である。
【図６】図１に示すテーププリンタの内部構成を示すブロック図である。
【図７】図１に示すテーププリンタのディスプレイに表示されるケーブル情報の一覧及びユーザ操作選択文字列の表示例である。
【図８】図１に示すテーププリンタにおける全体の処理手順を表したフローチャートである。
【図９】図８中のケーブル選択処理の処理手順を表したフローチャートである。
【図１０】図９中の微調整入力処理の処理手順を表したフローチャートである。
【図１１】図９中のケーブル情報登録処理手順を表したフローチャートである。
【図１２】図８中のイメージ発生印刷処理手順を表したフローチャートである。
【符号の説明】
１    テーププリンタ
２    ディスプレイ
３    キーボード
６    制御部
１１ａ、１１ｂ、１２ａ、１２ｂ  ケーブル用ラベル
１３、１５ａ、１５ｂ  ラベル領域
１４  重ねしろ領域
１６  ケーブル領域
６１  ＣＰＵ
６２  ＲＯＭ
６３  ＲＡＭ
６４  フラッシュメモリ
６１１  識別情報表示制御部（識別情報表示制御手段）
６１２  ラベル長決定部（ラベル形状決定手段）
６１３  印刷イメージ生成部（印刷イメージ生成手段）
６１４  文字サイズ決定部（文字サイズ決定手段）
６１５  印刷イメージ配置部（印刷イメージ配置手段）
６１６  重ねしろ長決定部（隣接範囲形状決定手段）
６１７  微調整部（微調整手段）
６３１  文字列記憶部（文字列記憶手段）
６４１  ケーブル情報記憶部（ケーブル情報記憶手段）
【図１】
2004299177.tif 000003
【図２】
2004299177.tif 000004
【図３】
2004299177.tif 000005
【図４】
2004299177.tif 000006
【図５】
2004299177.tif 000007
【図６】
2004299177.tif 000008
【図７】
2004299177.tif 000009
【図８】
2004299177.tif 000010
【図９】
2004299177.tif 000011
【図１０】
2004299177.tif 000012
【図１１】
2004299177.tif 000013
【図１２】
2004299177.tif 000014